(57)【特許請求の範囲】
【請求項１】
所定階の部屋と、この部屋に隣接するとともに、この部屋よりも天井高の低い低天井収納室とを備える建物において、
前記低天井収納室には、被収納物を収納する際に使用される収納用部品が設けられており、この収納用部品は、前記低天井収納室から前記部屋に向かって前記部屋のうち前記低天井収納室とは反対側の壁まで延長していることを特徴とする建物。
【請求項２】
請求項１に記載の建物において、
前記収納用部品は、前記低天井収納室および部屋の壁または天井に取り付けられていることを特徴とする建物。
【請求項３】
請求項１または２に記載の建物において、
前記収納用部品は、前記低天井収納室と部屋との間に設けられた出入り口を通過するようにして設けられていることを特徴とする建物。
【請求項４】
請求項１〜３のいずれか一項に記載の建物において、
所定階の床の一部の上方に中間床が設けられ、この中間床と前記所定階の床との間が前記低天井収納室とされており、
前記中間床上には、前記部屋の上部に隣接する中間部屋が設けられており、
前記中間床の縁部には、前記部屋の上部に面する手摺壁が立設されており、この手摺壁の上方は開放されており、
前記部屋の上部の前記手摺壁に対向する壁には、前記中間部屋側に開口する吊り棚が取り付けられていることを特徴とする建物。
【発明の詳細な説明】
【技術分野】
【０００１】
本発明は、低天井収納室を備える住宅等の建物に関する。
【背景技術】
【０００２】
近年、生活の質の向上や多様化に伴い、生活に使用する物品が多種多様化および多数化する傾向にあり、これら物品（被収納物）を収納するに当たって、例えば押入や納戸、床下収納庫、小屋裏収納部、天井裏収納部、階段下収納部等の従来の収納スペースでは広さや容量が不足するという問題があった。
この問題を解決する建物の一例として、建物内部に大型の収納空間である蔵を設けるとともに、この収納空間に隣接する部屋に収納空間への出入り口を設けたものが提案されている（例えば、特許文献１，２参照）。
【０００３】
蔵となる収納室は、例えば、屈んだ状態や頭を下げた状態で人が出入りできる程度の天井高さ（例えば、１４０ｃｍ以下）を有するもので、居室としては使用できないし、ウォークインクローゼットのように普通に立った状態で内部を歩くことができない。すなわち、天井の低い収納用空間となっており、例えば、低天井収納室と称される。
【先行技術文献】
【特許文献】
【０００４】
【特許文献１】特開２００４−０１１３３６号公報
【特許文献２】特開２００９−００７８４３号公報
【発明の概要】
【発明が解決しようとする課題】
【０００５】
ところで、低天井収納室の周囲には、例えば、この低天井収納室の側方に隣接するとともに行き来が自在に設定された部屋や、中間床を介して上方に設けられる中間部屋が設けられる場合がある。
ところが、低天井収納室と各部屋とは天井高が異なるものであるし、また、部屋同士も床レベルが異なっていたり、天井レベルも異なっていたりするため、これら低天井収納室と周囲の部屋との間には、たとえ隣接していてもそれぞれ別々の空間であるという認識が生じやすく、これら低天井収納室と周囲の部屋とを連携して使用しづらい場合がある。
【０００６】
本発明の課題は、低天井収納室と周囲の部屋とを連携して使用しやすくでき、快適な居住環境を形成することが可能な建物を提供することを目的とする。
【課題を解決するための手段】
【０００７】
請求項１に記載の発明は、例えば図１〜図１１に示すように、所定階２の部屋２０（２０Ａ）と、この部屋２０（２０Ａ）に隣接するとともに、この部屋２０（２０Ａ）よりも天井高の低い低天井収納室１０（１０Ａ）とを備える建物１において、
前記低天井収納室１０（１０Ａ）には、被収納物を収納する際に使用される収納用部品４０（５０）が設けられており、この収納用部品４０（５０）は、前記低天井収納室１０（１０Ａ）から前記部屋２０（２０Ａ）に向かって前記部屋２０（２０Ａ）のうち前記低天井収納室１０（１０Ａ）とは反対側の壁２１（２１Ａ）まで延長していることを特徴とする。
【０００８】
請求項１に記載の発明によれば、前記低天井収納室１０（１０Ａ）に設けられた収納用部品４０（５０）が、前記低天井収納室１０（１０Ａ）から前記部屋２０（２０Ａ）に向かって延長しているので、この収納用部品４０（５０）を、前記低天井収納室１０（１０Ａ）でも部屋２０（２０Ａ）でも、被収納物を収納する目的で使用できる。これによって、例えば被収納物を、収納用部品４０（５０）に沿って低天井収納室１０（１０Ａ）と部屋２０（２０Ａ）との間で移動させたり、低天井収納室１０（１０Ａ）でも部屋２０（２０Ａ）でも使用する被収納物を置いたり、この収納用部品４０（５０）を介して、前記低天井収納室１０（１０Ａ）と部屋２０（２０Ａ）とを連携して使用できるので、これら低天井収納室１０（１０Ａ）と部屋２０（２０Ａ）とを連続する空間として居住者に認識させることができる。これによって、これら低天井収納室１０（１０Ａ）と部屋２０（２０Ａ）とがそれぞれ別々の空間であると認識させる場合に比して空間を有効利用できるので、建物１内に快適な居住環境を形成しやすくなる。
また、部屋２０（２０Ａ）の壁２１（２１Ａ）に前記収納用部品４０（５０）の延長方向側端部を固定することによって、この収納用部品４０（５０）の取付強度を向上させることができる。これによって、被収納物をより確実に支持できる。
【０００９】
請求項２に記載の発明は、例えば図１〜図１１に示すように、請求項１に記載の建物１において、
前記収納用部品４０（５０）は、前記低天井収納室１０（１０Ａ）および部屋２０（２０Ａ）の壁（例えば壁１１，１２，１３，１４、壁１１Ａ，１２Ａ，１３Ａ，１４Ａ）または天井（例えば天井１５，２５、天井１５Ａ，２５Ａ）に取り付けられていることを特徴とする。
【００１０】
請求項２に記載の発明によれば、前記収納用部品４０（５０）は、前記低天井収納室１０（１０Ａ）および部屋２０（２０Ａ）の壁（例えば壁１１，１２，１３，１４、壁１１Ａ，１２Ａ，１３Ａ，１４Ａ）または天井（例えば天井１５，２５、天井１５Ａ，２５Ａ）に取り付けられているので、被収納物を、例えば収納用部品４０（５０）に引っかけたり、上に載せたりするなどして収納したとしても、この被収納物を確実に支持できる。
【００１３】
請求項３に記載の発明は、例えば図１，図３，図８〜図１０に示すように、請求項１または２に記載の建物１において、
前記収納用部品４０（５０）は、前記低天井収納室１０（１０Ａ）と部屋２０（２０Ａ）との間に設けられた出入り口１１ａ（１１Ａａ）を通過するようにして設けられていることを特徴とする。
【００１４】
請求項３に記載の発明によれば、前記収納用部品４０（５０）は、前記低天井収納室１０（１０Ａ）と部屋２０（２０Ａ）との間に設けられた出入り口１１ａ（１１Ａａ）を通過するようにして設けられているので、この収納用部品４０（５０）を、前記低天井収納室１０（１０Ａ）と部屋２０（２０Ａ）との動線上に配置できる。これによって、低天井収納室１０（１０Ａ）と部屋２０（２０Ａ）との間を行き来するのと同時に、収納用部品４０（５０）を使用して被収納物の収納を行えるので、使い勝手が良くなる。
【００１５】
請求項４に記載の発明は、例えば図２〜図４，図８，図１１に示すように、請求項１〜３のいずれか一項に記載の建物１において、
所定階２の床２ａの一部の上方に中間床３ａが設けられ、この中間床３ａと前記所定階２の床２ａとの間が前記低天井収納室１０（１０Ａ）とされており、
前記中間床３ａ上には、前記部屋２０（２０Ａ）の上部に隣接する中間部屋３０（３０Ａ）が設けられており、
前記中間床３ａの縁部には、前記部屋２０（２０Ａ）の上部に面する手摺壁３１ａ（３１Ａａ）が立設されており、この手摺壁３１ａ（３１Ａａ）の上方は開放されており、
前記部屋２０（２０Ａ）の上部の前記手摺壁３１ａ（３１Ａａ）に対向する壁２１（２１Ａ）には、前記中間部屋３０（３０Ａ）側に開口する吊り棚６０が取り付けられていることを特徴とする。
【００１６】
請求項４に記載の発明によれば、前記吊り棚６０に収納した被収納物を、前記中間部屋３０（３０Ａ）の手摺壁３１ａ（３１Ａａ）上方の開放部分から見ることができる。これによって、例えば被収納物として装飾品や美術品、服飾品、植物等、様々なものを吊り棚６０に収納することで、これを中間部屋３０（３０Ａ）から観賞できるので、前記部屋２０（２０Ａ）と中間部屋３０（３０Ａ）とを連携して使用できることになり、これら部屋２０（２０Ａ）と中間部屋３０（３０Ａ）とを連続する空間として居住者に認識させることができる。これによって、これら部屋２０（２０Ａ）と中間部屋３０（３０Ａ）がそれぞれ別々の空間であると認識させる場合に比して空間を有効利用できるので、建物１内に快適な居住環境を形成しやすくなる。
【発明の効果】
【００１７】
本発明によれば、低天井収納室に設けられた収納用部品が、低天井収納室から部屋に向かって延長しているので、この収納用部品を、低天井収納室でも部屋でも、被収納物を収納する目的で使用できる。これによって、例えば被収納物を、収納用部品に沿って低天井収納室と部屋との間で移動させたり、低天井収納室でも部屋でも使用する被収納物を置いたり、この収納用部品を介して、低天井収納室と部屋とを連携して使用できるので、これら低天井収納室と部屋とを連続する空間として居住者に認識させることができる。これによって、これら低天井収納室と部屋とがそれぞれ別々の空間であると認識させる場合に比して空間を有効利用できるので、建物内に快適な居住環境を形成しやすくなる。
また、部屋の壁に前記収納用部品の延長方向側端部を固定することによって、この収納用部品の取付強度を向上させることができる。これによって、被収納物をより確実に支持できる。
【図面の簡単な説明】
【００１８】
【図１】本発明に係る建物の所定階を示す平面図である。
【図２】図１に示す所定階よりも半階上がった位置に設けられる中間階を示す平面図である。
【図３】収納用部品が設けられる低天井収納室および部屋の周囲の構成の一例を示す断面図である。
【図４】部屋の構成を示す断面図である。
【図５】収納用部品の一例を示す断面図である。
【図６】収納用部品の一例を示す断面図である。
【図７】収納用部品の一例を示す断面図である。
【図８】収納用部品が設けられる低天井収納室および部屋の周囲の構成の他の一例を示す断面図である。
【図９】図８に示す低天井収納室および部屋の平面図である。
【図１０】図８に示す部屋の断面図である。
【図１１】図８に示す部屋の断面図である。
【発明を実施するための形態】
【００１９】
以下、図面を参照して本発明の実施の形態について説明する。
【００２０】
＜第１の実施の形態＞
図１は本発明に係る建物の所定階の一例を示す平面図である。
図１および図２において符号１は建物を示しており、符号２は所定階を示しており、符号３は中間階を示している。所定階２は、本実施の形態においては、建物１の２階を指しており、中間階３は、２階よりも半階上がった位置に設けられる階を指している。
２階である所定階２の下方は１階となっており、１階から所定階２、中間階３への移動は階段４にて行われる。この階段４は折り返し階段とされており、１階と所定階２との間に設けられるホール５と、所定階２の床２ａと同床レベルに設けられるホール６と、中間階３の床、すなわち中間床３ａと同床レベルに設けられるホール７とを備えている。
【００２１】
ホール５は、いわゆる中二階の高さに設定されており、中二階には、部屋１００が設けられている。部屋１００の床とホール５は同一の床レベルに設定されている。
所定階２の床２ａと同床レベルのホール６は、所定階２に設けられる部屋等へと通じる廊下８と連続して設けられている。所定階２には、これらホール６および廊下８と同一の床レベルの低天井収納室１０と、部屋２０と、部屋１０１と、部屋１０２とが設けられている。
中間階３には、ホール７と同一の床レベルの中間部屋３０と、部屋１０３とが設けられている。
【００２２】
前記低天井収納室１０は、図１〜図３に示すように、所定階２の床２ａと、この床２ａの上方に設けられた中間階を構成する中間床３ａとの間に設けられている。また、前記部屋２０に隣接するとともに、部屋２０よりも天井高が低くなるように設定されている。
すなわち、この低天井収納室１０の天井高は、０．９ｍ〜１．４ｍに設定されている。これによって、人が前記低天井収納室１０に入って、何とか作業ができる最低限の高さを確保できる。また、このように天井高を必要最小限に抑えることで、建物の高さが高くなることによって隣接する建物に及ぼす日照減少等の影響を極力少なくすることができる。
このような低天井収納室１０は、居室としては使用できないし、ウォークインクローゼットのように普通に立った状態で内部を歩くことはできない。
そして、この低天井収納室１０には、被収納物を収納する際に使用される収納用部品４０が設けられている。
【００２３】
低天井収納室１０の周囲には複数の壁１１，１２，１３，１４が設けられており、上部には天井１５が設けられている。
【００２４】
壁１１は、部屋２０側に立設されている。この壁１１には、低天井収納室１０と部屋２０とを行き来するための第１出入り口１１ａが形成されている。この第１出入り口１１ａは、壁１１のうち、壁１４側に形成されている。
【００２５】
壁１２は、廊下８側に立設されている。この壁１２には、低天井収納室１０と廊下８とを行き来するための第２出入り口１２ａが形成されている。
また、この第２出入り口１２ａには、壁１２の幅方向に沿ってスライドするためのスライド手段を有する収納家具１２ｂ，１２ｂが設けられている。この収納家具１２ｂ，１２ｂは、物品を収納できるとともに、第２出入り口１２ａを開閉する引戸のようにして使うことができる。
【００２６】
壁１３は、階段４側に立設されている。この壁１３には、いわゆる嵌め殺し窓のように開閉しないように構成されたガラス仕切り１３ａが設けられている。
また、このガラス仕切り１３ａは前記ホール５に面しており、階段４およびホール５から低天井収納室１０内が見えるようになっている。
【００２７】
壁１４は、外部側に立設されている。この壁１４には、窓１４ａ，１４ａが設けられている。
【００２８】
前記部屋２０は、図１〜図３に示すように、前記低天井収納室１０に隣接するとともに、低天井収納室１０よりも天井高が高くなるように設定されている。
本実施の形態においては、この部屋２０の天井２５の高さ位置は、前記低天井収納室１０の直上に位置する中間部屋３０の天井３５の高さ位置よりも若干低い程度に設定されている。天井高は、前記中間部屋３０よりも、この部屋２０の方が高くなるように設定されている。
【００２９】
部屋２０の周囲には複数の壁２１，２２，２３，２４が設けられており、上部には天井２５が設けられている。
【００３０】
壁２１は、壁２３に対向して配置されている。この壁２１の下部には、図４に示すように、姿見ミラー２７が取り付けられており、この壁２１の上部には、吊り棚６０が取り付けられている。
壁２２は、廊下８側に立設されている。この壁２２には、部屋２０と廊下８とを行き来するための出入り口２２ａが形成されている。
【００３１】
壁２３は、前記低天井収納室１０の壁１１と表裏一体に設けられるものであり、前記第１出入り口１１ａが形成されている。また、この壁２３と前記壁２１との間には、前記第１出入り口１１ａの上縁部と略等しい高さとなるように、かつ水平に配置されたカウンター板２６が架設されている。このカウンター板２６の上面には、被収納物を載置するようにして収納できる。
【００３２】
壁２４は、外部側に立設されており、上部には、外部に面する窓２４ａが設けられている。
【００３３】
前記中間部屋３０は、図２および図３に示すように、前記中間床３ａ上に設けられており、前記部屋２０の上部に隣接している。
前記中間床３ａの縁部には、前記部屋２０の上部に面する手摺壁３１ａが立設されており、この手摺壁３１ａの上方は開放されている。本実施の形態においては、この手摺壁３１ａ上方の開放部分を開口部３１ｂと称する。この開口部３１ｂは、引戸３１ｃによって開閉できるようになっている。
【００３４】
中間部屋３０の周囲には複数の壁３１，３２，３３，３４が設けられており、上部には天井３５が設けられている。
【００３５】
壁３１は、前記部屋２０の壁２１に対向して配置されている。また、この壁３１は、前記中間床３ａの縁部に設けられており、前記手摺壁３１ａを含んで構成されている。
【００３６】
壁３２は、前記廊下８側に立設されている。この壁３２には、開口部３２ａが形成されており、この開口部３２ａによって中間部屋３０と廊下８の上部とを連通している。
【００３７】
壁３３は、階段４側に立設されている。この壁３３には、中間部屋３０とホール７とを行き来するための出入り口３３ａが形成されている。この出入り口３３ａは、引戸３３ｂによって開閉できるようになっている。
【００３８】
壁３４は、外部側に立設されている。この壁３４には、窓３４ａ，３４ａが設けられている。
【００３９】
次に、前記収納用部品４０について説明する。
本実施の形態において、前記収納用部品４０を使用して低天井収納室１０に収納される被収納物は、例えばハンガーに掛けられた衣類のように、引掛けたり、吊るしたりして収納できる物品を指しているものとする。
また、本実施の形態の収納用部品４０は、図１〜図４に示すように、前記低天井収納室１０と部屋２０との並設方向に沿って長尺なパイプ材４１であり、被収納物を引掛けたり、吊るしたりしやすく収納しやすい。そして、この収納用部品４０は、前記低天井収納室１０から前記部屋２０に向かって延長している。
【００４０】
この収納用部品４０は、前記低天井収納室１０の天井１５に取り付けられている。すなわち、前記低天井収納室１０の天井１５に間隔をあけて配置されるとともに固定された複数の吊り支持材４５…によって吊り下げられることによって天井１５に吊り支持されている。
また、この収納用部品４０の壁１３側端部は、パイプ材４１の端部を保持するパイプ受け金具４１ａを介して壁１３に固定されている。
【００４１】
さらに、収納用部品４０は、前記低天井収納室１０から、前記部屋２０のうち前記低天井収納室１０とは反対側の壁２１まで延長している。すなわち、この収納用部品４０であるパイプ材４１は、前記低天井収納室１０と部屋２０とにわたって設けられている。
また、この収納用部品４０の部屋２０側端部は、パイプ受け金具４１ａを介して壁２１に固定されている。したがって、収納用部品４０は、両端部が壁１３，２１に固定されることによって、これら壁１３，２１間に架設された状態となっている。そして、中央部付近が、上述のように前記複数の吊り支持材４５…によって吊り支持されており、これによってパイプ材４１の撓みを防止している。
【００４２】
また、収納用部品４０のうち、部屋２０側に延長する部分の上方には、前記カウンター板２６が設けられている。
【００４３】
さらに、収納用部品４０は、前記低天井収納室１０と部屋２０との間に設けられた第１出入り口１１ａを通過するようにして設けられている。すなわち、低天井収納室１０と部屋２０との間の動線に沿って、収納用部品４０が配置されることになる。
したがって、居住者が、部屋２０に入室した段階で、収納用部品４０が目に入るだけでなく、部屋２０から低天井収納室１０に移動する際にも、収納用部品４０が目に入ることになる。
さらに、低天井収納室１０は天井高が低いため、この収納用部品４０を、低天井収納室１０と部屋２０との間を移動する際の手摺としても使用することができ、好ましい。
【００４４】
なお、図示はしないが、第１出入り口１１ａに扉を設ける場合は、扉に、この扉を貫通することによって収納用部品４０を挿通可能なスリットを形成するようにしても良い。
このスリットは、扉の移動方向に沿って形成されている。すなわち、例えば引戸であれば、引戸の幅方向に沿ってスリットが形成されており、スリットの一端は、引戸の幅方向一端側に開放された状態となっている。
これによって、第１出入り口１１ａの閉塞時には、スリット内に収納用部品４０を納めておくことができる。さらに、第１出入り口１１ａを開放する時には、収納用部品４０をスリットに挿通させた状態で、引戸を、この引戸の幅方向に沿ってスライドするように移動させることができる。また、スリットの一端は開放されているので、スリットが収納用部品４０から離脱するようにして、引戸をスライド移動させ、第１出入り口１１ａを全開放させることができる。
したがって、収納用部品４０が通過する第１出入り口１１ａに扉を設けたとしても、この扉で、第１出入り口１１ａを支障なく開閉することができる。
【００４５】
本実施の形態において、被収納物を引掛けたり、吊るしたりする収納用部品４０はパイプ材４１であるとしたが、これに限られるものではなく、適宜変更可能である。
収納用部品４０として、例えば図５に示すように、断面略Ｃ型に形成されたチャンネル材４２を使用しても良い。このチャンネル材４２も、前記パイプ材４１と同様に、前記低天井収納室１０と部屋２０との並設方向に沿って長尺に形成されており、前記低天井収納室１０から前記部屋２０に向かって延長している。
そして、このチャンネル材４２の開放された部分から、ハンガーに掛けられた衣類等の被収納物を引掛けたり、吊るしたりすることができる。
【００４６】
また、収納用部品４０として、例えば図６に示すように、断面略Ｌ型に形成されたフック状の長尺材４３を使用しても良い。この長尺材４３も、前記パイプ材４１と同様に、前記低天井収納室１０と部屋２０との並設方向に沿って長尺に形成されており、前記低天井収納室１０から前記部屋２０に向かって延長している。
そして、この長尺材４３の上方に向かって突出する部分に、ハンガーに掛けられた衣類等の被収納物を引掛けたり、吊るしたりすることができる。
【００４７】
また、収納用部品４０として、例えば図７に示すように、ランナー４４ａを走行させることが可能なレール状に形成されたレール材４４を使用しても良い。このレール材４４も、前記パイプ材４１と同様に、前記低天井収納室１０と部屋２０との並設方向に沿って長尺に形成されており、前記低天井収納室１０から前記部屋２０に向かって延長している。
そして、このレール材４４に沿って走行可能なランナー４４ａに対して、ハンガーに掛けられた衣類等の被収納物を引掛けたり、吊るしたりすることができる。ランナー４４ａには車輪４４ｂ，４４ｂが取り付けられており、これによってレール材４４に沿って走行できるように構成されている。
【００４８】
また、収納用部品４０として、図示はしないが、ワイヤー等の長尺な線状部材を使用しても良い。この長尺な線状部材も、前記低天井収納室１０と部屋２０との並設方向に沿って設けられており、前記低天井収納室１０から前記部屋２０に向かって延長している。
そして、この線状部材自体に、ハンガーに掛けられた衣類等の被収納物を引掛けたり、吊るしたりすることができる。
【００４９】
次に、前記吊り棚６０について説明する。
前記吊り棚６０は、上述のように前記壁２１の上部に取り付けられており、下方には姿見ミラー２７が設けられている。前記壁２１の上部は、前記中間部屋３０の手摺壁３１ａに対向して配置されている。
【００５０】
この吊り棚６０は、天板や底板、複数の側板、背板等を組み立てることによって形成されており、図３および図４に示すように、複数の箱状の収納部６１…を備えている。これら複数の収納部６１…は前方に向かって、すなわち前記中間部屋３０側に開口している。
【００５１】
この開口部６１ａからは、被収納物を収納できるだけなく、扉等を設けずに、収納した被収納物を意図的に露出させることができる。つまり、収納部６１に収納された被収納物は、この収納部６１の外部に対して可視化された状態となっている。
なお、この吊り棚６０の複数の収納部６１…に収納される被収納物としては、居住者の任意であり、例えば装飾品や美術品、服飾品、植物等、様々なものが挙げられるが、複数の収納部６１…の内部は可視化されるため、観賞に堪える物品が好ましい。
【００５２】
吊り棚６０の下面には、この吊り棚６０の底部を支持する底部支持板６２が設けられている。この底部支持板６２は、図２に示すように、前記部屋２０の壁２１に固定されるとともに、壁２２と壁２４との間に架設固定されている。
【００５３】
この底部支持板６２の前端部は、前記吊り棚６０よりも前方に突出している。この底部支持板６２の突出方向側端面には、底部支持板６２の長さ方向に沿って引掛けパイプ６２ａが取り付けられており、梯子６３のフック部を引掛けることができる。
なお、梯子６３は、部屋２０の下部から前記吊り棚６０に被収納物を収納する際に使用されるものであり、引掛けパイプ６２ａに沿って設置できるようになっている。
【００５４】
吊り棚６０の下方には、図３に示すように、衣類等が掛けられたハンガーを吊るすためのハンガーパイプ６４が設けられている。このハンガーパイプ６４は、前記壁２２と壁２４との間に架設されている。
また、このハンガーパイプ６４の中央部付近には、このハンガーパイプ６４の中央部の撓みを防止する支柱６５が設けられている。
【００５５】
なお、前記カウンター板２６や、収納用部品４０、底部支持板６２、ハンガーパイプ６４のように、壁と壁との間に架設される部品等は、図３および図４に示すように、これら部品等が当接する壁の壁紙等の化粧材の裏側に予め設けられた取付下地材７０に対して強固に取付固定されている。
この取付下地材７０としては、例えば合板等のように、剛性に優れるとともに釘打ちやネジ止めが可能な素材が好ましい。
【００５６】
次に、前記低天井収納室１０と、部屋２０と、中間部屋３０の周囲における居住者の行動について説明する。
【００５７】
まず、前記部屋２０に対しては、前記出入り口２２ａから入退室でき、廊下８との間を行き来することができる。また、部屋２０内では、梯子６３を昇降することによって部屋２０の上下方向に沿って移動でき、被収納物を吊り棚６０に収納できる。
また、前記低天井収納室１０に対しては、前記第２出入り口１２ａから入退室するか、前記部屋２０を介して第１出入り口１１ａから入退室できる。前記第２出入り口１２ａを通じて廊下８との間を行き来することができる。
前記第１出入り口１１ａを通じて低天井収納室１０と部屋２０との間を行き来する際には、前記収納用部品４０が目に入り、被収納物を収納する際に使用したり、手摺としても使用することができる。
【００５８】
さらに、収納用部品４０は、前記低天井収納室１０でも部屋２０でも、被収納物を収納する目的で使用できるようになっている。
このように収納用部品４０を、前記低天井収納室１０でも部屋２０でも使用できれば、例えば被収納物を、収納用部品４０に沿って低天井収納室１０と部屋２０との間で移動させるなどして、この収納用部品４０を介して、低天井収納室１０と部屋２０とを連携して使用できるので、これら低天井収納室１０と部屋２０とを連続する空間として居住者に認識させることができる。
【００５９】
前記中間部屋３０に対しては、前記出入り口３３ａから入退室でき、ホール７との間を行き来することができる。
中間部屋３０に入室した居住者は、前記開口部３２ａから廊下８を見ることができ、前記開口部３１ｂから部屋２０を見ることができる。
開口部３１ｂの前方には前記吊り棚６０が設けられており、開口部３１ｂから吊り棚６０の複数の収納部６１…に収納された被収納物を見ることができる。
【００６０】
このように吊り棚６０を中間部屋３０から見ることができれば、例えば被収納物として装飾品や美術品、服飾品、植物等、様々なものを吊り棚６０に収納することで、これを中間部屋３０から観賞できるので、前記部屋２０と中間部屋３０とを連携して使用できることになり、これら部屋２０と中間部屋３０とを連続する空間として居住者に認識させることができる。
【００６１】
さらに、居住者にとっては、上述のように低天井収納室１０と部屋２０とが連続する空間であると認識し、部屋２０と中間部屋３０とが連続する空間であると認識することになるので、総じて、これら低天井収納室１０と、部屋２０と、中間部屋３０とが連続する空間である認識することになる
これによって、居住者は、これら低天井収納室１０と、部屋２０と、中間部屋３０とを、連続する空間として立体的に捉えることができる。
したがって、居住者は、これら低天井収納室１０周囲の空間を、低天井収納室１０と部屋２０と中間部屋３０とがそれぞれ別々の空間であると認識する場合に比して、広々とした空間として認識することができる。
【００６２】
本実施の形態によれば、前記低天井収納室１０に設けられた収納用部品４０が、前記低天井収納室１０から前記部屋２０に向かって延長しているので、この収納用部品４０を、前記低天井収納室１０でも部屋２０でも、被収納物を収納する目的で使用できる。これによって、例えば被収納物を、収納用部品４０に沿って低天井収納室１０と部屋２０との間で移動させたり、低天井収納室１０でも部屋２０でも使用する被収納物を置いたり、この収納用部品４０を介して、前記低天井収納室１０と部屋２０とを連携して使用できるので、これら低天井収納室１０と部屋２０とを連続する空間として居住者に認識させることができる。
これによって、これら低天井収納室１０と部屋２０とがそれぞれ別々の空間であると認識させる場合に比して空間を有効利用できるので、建物１内に快適な居住環境を形成しやすくなる。
【００６３】
また、前記収納用部品４０は、前記低天井収納室１０の壁１３および天井１５と、前記部屋２０の壁２１とに取り付けられているので、被収納物を引掛けたり、吊るしたりするなどして収納しても、この被収納物を確実に支持できる。
【００６４】
また、前記収納用部品４０は、前記低天井収納室１０から、前記部屋２０のうち前記低天井収納室１０とは反対側の壁２１まで延長しているので、この壁２１に前記収納用部品４０の延長方向側端部を固定することによって、この収納用部品４０の取付強度を向上させることができる。これによって、被収納物をより確実に支持できる。
【００６５】
また、前記収納用部品４０は、前記低天井収納室１０と部屋２０との間に設けられた第１出入り口１１ａを通過するようにして設けられているので、この収納用部品４０を、前記低天井収納室１０と部屋２０との動線上に配置できる。これによって、低天井収納室１０と部屋２０との間を行き来するのと同時に、収納用部品４０を使用して被収納物の収納を行えるので、使い勝手が良くなる。
【００６６】
また、前記吊り棚６０に収納した被収納物を、前記中間部屋３０の手摺壁３１ａ上方の開口部３１ｂから見ることができる。これによって、例えば被収納物として装飾品や美術品、服飾品、植物等、様々なものを吊り棚６０に収納することで、これを中間部屋３０から観賞できるので、前記部屋２０と中間部屋３０とを連携して使用できることになり、これら部屋２０と中間部屋３０とを連続する空間として居住者に認識させることができる。
これによって、これら部屋２０と中間部屋３０がそれぞれ別々の空間であると認識させる場合に比して空間を有効利用できるので、建物１内に快適な居住環境を形成しやすくなる。
【００６７】
＜第２の実施の形態＞
次に、図面を参照して本発明の第２の実施の形態について説明する。
なお、説明の便宜上、上述した第１の実施の形態とは異なる構成部分のみについて説明する。特に、低天井収納室１０Ａと、部屋２０Ａと、中間部屋３０Ａは、第１の実施の形態と略等しい構成とされている。
すなわち、本実施の形態においては、図９および図１０に示すように、部屋２０Ａの壁２３Ａに引掛部２３Ａａが取り付けられている。この引掛部２３Ａａには、日常的に使用する物品を一時的に引掛けて収納しておくことができる。
また、本実施の形態においては、第１の実施の形態で説明したカウンター板２６が設けられていない。さらに、姿見ミラー２７Ａが、図８に示すように、壁２４Ａに取り付けられている。
【００６８】
本実施の形態において、低天井収納室１０Ａには、図８〜図１１に示すように、被収納物を収納する際に使用される収納用部品５０が設けられている。この収納用部品５０は、前記低天井収納室１０Ａから部屋２０Ａに向かって延長している。
また、本実施の形態において、前記収納用部品５０を使用して低天井収納室１０Ａに収納される被収納物は、収納用部品５０の上面に載置可能な全ての物品を指している。
また、本実施の形態の収納用部品５０は、前記低天井収納室１０Ａと部屋２０Ａとの並設方向に沿って長尺で、かつ平面視矩形状のカウンター板であり、上面に、様々な種類の被収納物を載置して収納することができる。
【００６９】
この収納用部品５０は、前記低天井収納室１０Ａの壁１４Ａに取り付けられている。すなわち、前記壁１４Ａには、図示しないブラケット等の複数の支持具が間隔をあけて取り付けられており、この支持具によってカウンター板である収納用部品５０が支持されている。
【００７０】
さらに、収納用部品５０は、前記低天井収納室１０Ａから、前記部屋２０Ａのうち前記低天井収納室１０Ａとは反対側の壁２１Ａまで延長している。すなわち、この収納用部品５０であるカウンター板は、前記低天井収納室１０Ａと部屋２０Ａとにわたって設けられている。
【００７１】
また、この収納用部品５０の部屋２０側端部は、その壁２４Ａ側面が、壁２４Ａに対して支持具を介して取付固定されており、その壁２１Ａ側面が、壁２１Ａに対して支持具を介して壁２１Ａに取付固定されている。
なお、前記部屋２０Ａの壁２４Ａは、前記低天井収納室１０Ａの壁１４Ａと面一になっている。
【００７２】
さらに、収納用部品５０は、前記低天井収納室１０Ａと部屋２０Ａとの間に設けられた第１出入り口１１Ａａを通過するようにして設けられている。すなわち、低天井収納室１０Ａと部屋２０Ａとの間の動線に沿って、収納用部品５０が配置されることになる。
なお、第１出入り口１１Ａａに扉を設ける場合は、第１の実施の形態と同様に、扉にスリットを形成するようにしても良い。
【００７３】
また、収納用部品５０には、図８，図１０および図１１に示すように、複数の引き出し５１…が設けられている。
これら複数の引き出し５１…は、前記姿見ミラー２７Ａが設けられた場所に対応して設けられている。すなわち、前記部屋２０Ａ内に設けられている。これによって、例えば椅子を設置するなどすれば、収納用部品５０の部屋２０Ａ側部を、鏡台として使用することも可能となる。
【００７４】
なお、本実施の形態においては、吊り棚６０の底部支持板６２の下面に底部支持板６２が設けられていない状態となっているが、必要に応じて設けるようにしても良い。
【００７５】
また、ハンガーパイプ６４の壁２４Ａ側端部は、図８に示すように、姿見ミラー２７Ａを貫通するようにして取り付けられている。
【００７６】
また、図８および図１１では、吊り棚６０の複数の収納部６１…への被収納物の収納例を示している。これら複数の収納部６１…には、帽子や本等が収納されている。
【００７７】
また、前記低天井収納室１０Ａには、可動式の収納ワゴン１６が複数配置されている。これら複数の収納ワゴン１６…は可動式であるため、第１出入り口１１Ａａを介して、低天井収納室１０Ａと部屋２０Ａとの間で移動させることができる。
【００７８】
本実施の形態によれば、前記低天井収納室１０Ａに設けられた収納用部品５０が、前記低天井収納室１０Ａから前記部屋２０Ａに向かって延長しているので、第１の実施の形態の効果と同様に、建物１内に快適な居住環境を形成しやすくなる。
また、前記収納用部品５０は、前記低天井収納室１０Ａの壁１４Ａと、前記部屋２０の壁２４Ａとに取付固定されているので、被収納物を、上面に載置するようにして確実に支持できる。
また、前記収納用部品５０の部屋２０Ａ側端部が壁２１Ａまで延長して取付固定されているので、収納用部品５０の取付強度を向上でき、被収納物をより確実に支持できる。
また、前記収納用部品５０を、前記低天井収納室１０Ａと部屋２０Ａとの動線上に配置できるので、低天井収納室１０Ａと部屋２０Ａとの間を行き来するのと同時に、収納用部品５０を使用して被収納物の収納を行えるので、使い勝手が良くなる。さらに、収納用部品５０の上面に載置された被収納物は、この収納用部品５０の上面に沿って低天井収納室１０Ａと部屋２０Ａとの間を移動させることできる。
また、部屋２０Ａ内では、収納用部品５０の上面を、被収納物の載置用だけでなく、鏡台等の台として使用することができるので、より使い勝手が良くなる。
【符号の説明】
【００７９】
１  建物
２  所定階
２ａ  床
３  中間階
３ａ  中間床
１０  低天井収納室
２０  部屋
３０  中間部屋
４０  収納用部品
５０  収納用部品
６０  吊り棚
【図１】
0005711057.tif 000002
【図２】
0005711057.tif 000003
【図３】
0005711057.tif 000004
【図４】
0005711057.tif 000005
【図５】
0005711057.tif 000006
【図６】
0005711057.tif 000007
【図７】
0005711057.tif 000008
【図８】
0005711057.tif 000009
【図９】
0005711057.tif 000010
【図１０】
0005711057.tif 000011
【図１１】
0005711057.tif 000012